(57)【要約】      （修正有）【課題】段差が減少された端子を提供する。【解決手段】相手方端子と接続する相手方接続部１７と、電線１１と接続する電線接続部２０と、連結部３０と、を有し、電線接続部２０は電線１１の延び方向に延びると共に電線１１を挟持する挟持部１８Ａ，１８Ｂを有し、シェルは挟持部１８Ａ，１８Ｂを電線１１に向けて加圧する加圧部２５Ａ，２５Ｂを有し、相手方接続部１７は相手方底壁５０と、相手方底壁５０から所定の起立方向に向かって立ち上がって形成された相手方側壁と、を有し、電線接続部２０は電線側底壁５１と、電線側底壁５１から起立方向に向かって立ち上がる電線側側壁５４と、を有し、連結部３０は、相手方底壁５０と電線側底壁５１とを、電線側底壁５１から相手方底壁５０に向かって、起立方向とは反対方向に傾斜して連結している端子１２。【選択図】図８
2020173962.tif 000002
【特許請求の範囲】
【請求項１】
相手方端子と接続する相手方接続部と、電線と接続する電線接続部と、前記相手方接続部と前記電線接続部とを連結する連結部と、を有する端子本体と、
前記電線接続部の外側に嵌められるシェルと、を備え、
前記電線接続部は前記電線の延び方向に延びると共に前記電線を挟持する挟持部を有し、前記シェルは前記挟持部を前記電線に向けて加圧する加圧部を有し、
前記相手方接続部は相手方底壁と、前記相手方底壁から所定の起立方向に向かって立ち上がって形成された相手方側壁と、を有し、
前記電線接続部は電線側底壁と、前記電線側底壁から前記起立方向に向かって立ち上がる電線側側壁と、を有し、
前記連結部は、前記電線側底壁と前記相手方底壁とを、前記電線側底壁から前記相手方底壁に向かって、前記起立方向とは反対方向に傾斜して連結している端子。
【請求項２】
前記連結部は、前記相手方底壁と前記電線側底壁とを連結する連結底壁と、前記連結底壁から立ち上がる一対の連結側壁と、を有し、
前記一対の連結側壁のそれぞれは、互いに接近する方向に屈曲したくびれ部を有する、請求項１に記載の端子。
【請求項３】
前記一対の連結側壁に設けられた前記くびれ部の内面には、それぞれ、凹部が設けられている、請求項２に記載の端子。
【請求項４】
前記シェルの底面と、前記相手方接続部の底面とが同一平面上に配されている、請求項１から請求項３のいずれか１項に記載の端子。
【請求項５】
前記シェルは、前記電線接続部に対して、前記電線の延び方向に沿ってスライド可能に配されている、請求項１から請求項４のいずれか一項に記載の端子。
【請求項６】
請求項１から請求項５のいずれか１項に記載の端子と、
前記端子に接続された電線と、を備えた端子付き電線。
【発明の詳細な説明】
【技術分野】
【０００１】
本開示は、端子、および端子付き電線に関する。
【背景技術】
【０００２】
従来より、電線の端末から露出する芯線に端子が接続された端子付き電線が知られている。このような端子として、例えば、電線の端末から露出する芯線に外側から圧着する圧着部を備えるものがある。
【０００３】
上記の端子を電線に圧着するには、例えば以下のようにする。まず、金属板材をプレス加工することにより所定の形状の端子を成形する。続いて、上下方向に相対移動可能な一対の金型のうち下側に位置する下型の載置部に、端子を載置する。続いて、電線の端末から露出された芯線を、端子の圧着部に重ねて載置する。その後、一対の金型の一方又は双方を互いに接近する方向に移動させ、上型の圧着部と、下型の載置部との間で圧着部を挟み付けることにより、圧着部を電線の芯線に圧着する。以上により、電線の端末に端子が接続される（特許文献１参照）。
【先行技術文献】
【特許文献】
【０００４】
【特許文献１】特開２００５−５０７３６号公報
【発明の概要】
【発明が解決しようとする課題】
【０００５】
上記の圧着部に代えて、芯線を挟んで接続するとした場合、端子本体と、端子本体の後方に配されたスライド部との２部品で端子を構成することがあり得る。この場合に、２部品間で段差が生じると、コネクタに配したときに端子ががたつくという課題が生じる。
【０００６】
本開示は上記のような事情に基づいて完成されたものであって、段差が減少された端子を提供することを目的とする。
【課題を解決するための手段】
【０００７】
本開示にかかる端子は、相手方端子と接続する相手方接続部と、電線と接続する電線接続部と、前記相手方接続部と前記電線接続部とを連結する連結部と、を有する端子本体と、前記電線接続部の外側に嵌められるシェルと、を備え、前記電線接続部は前記電線の延び方向に延びると共に前記電線を挟持する挟持部を有し、前記シェルは前記挟持部を前記電線に向けて加圧する加圧部を有し、前記相手方接続部は相手方底壁と、前記相手方底壁から所定の起立方向に向かって立ち上がって形成された相手方側壁と、を有し、前記電線接続部は電線側底壁と、前記電線側底壁から前記起立方向に向かって立ち上がる電線側側壁と、を有し、前記連結部は、前記電線側底壁と前記相手方底壁とを、前記電線側底壁から前記相手方底壁に向かって、前記起立方向とは反対方向に傾斜して連結している。
【発明の効果】
【０００８】
本開示によれば、端子において段差を減少させることができる。
【図面の簡単な説明】
【０００９】
【図１】図１は、本実施形態にかかる端子付き電線を示す斜視図である。
【図２】図２は、端子本体を示す側面図である。
【図３】図３は、図４におけるＩＩＩ-ＩＩＩ線断面図である。
【図４】図４は、端子本体を示す平面図である。
【図５】図５は、連結部に芯線が挿通された状態を示す一部拡大平面図である。
【図６】図６は、端子本体にスライド部が仮係止された状態の端子と、電線とを示す断面図である。
【図７】図７は、端子本体にスライド部が仮係止された状態の端子に電線が挿通された状態を示す断面図である。
【図８】図８は、端子本体にスライド部が本係止された状態を示す断面図である。
【発明を実施するための形態】
【００１０】
［本開示の実施形態の説明］
最初に本開示の実施態様が列挙されて説明される。
【００１１】
（１）  本開示にかかる端子は、相手方端子と接続する相手方接続部と、電線と接続する電線接続部と、前記相手方接続部と前記電線接続部とを連結する連結部と、を有する端子本体と、前記電線接続部の外側に嵌められるシェルと、を備え、前記電線接続部は前記電線の延び方向に延びると共に前記電線を挟持する挟持部を有し、前記シェルは前記挟持部を前記電線に向けて加圧する加圧部を有し、前記相手方接続部は相手方底壁と、前記相手方底壁から所定の起立方向に向かって立ち上がって形成された相手方側壁と、を有し、前記電線接続部は電線側底壁と、前記電線側底壁から前記起立方向に向かって立ち上がる電線側側壁と、を有し、前記連結部は、前記電線側底壁と前記相手方底壁とを、前記電線側底壁から前記相手方底壁に向かって、前記起立方向とは反対方向に傾斜して連結している。
【００１２】
シェルは電線接続部の外側に嵌められているので、シェルは電線接続部の電線側底壁を覆っている。このため、シェルは電線側底壁よりも外方に突出する。しかし、電線側底壁と連結部により連結された相手方接続部の相手方底壁は、連結部が傾斜していることにより、電線側底壁よりも外方に突出する。これにより、電線側底壁に対して、シェルの底壁および相手方底壁の双方が外方に突出することになるので、シェルの底壁だけが外方に突出した形状に比べて、端子の段差を小さくすることができる。
【００１３】
（２）  前記連結部は、前記相手方底壁と前記電線側底壁とを連結する連結底壁と、前記連結底壁から立ち上がる一対の連結側壁と、を有し、
前記一対の連結側壁のそれぞれは、互いに接近する方向に屈曲したくびれ部を有することが好ましい。
【００１４】
連結部の連結底壁を傾斜させると、一対の連結側壁も屈曲する。このとき、一対の連結側壁のそれぞれについて、互いに接近する方向に屈曲したくびれ部を設けることにより、一対の連結側壁が互いに離れる方向に屈曲する場合に比べて、端子を小型化することができる。
【００１５】
（３）  前記一対の連結側壁に設けられた前記くびれ部の内面には、それぞれ、凹部が設けられていることが好ましい。
【００１６】
電線と電線接続部とを確実に接続するため、電線接続部に挿通された電線は、電線接続部を越えて連結部まで挿通されることが好ましい。連結部の一対の連結側壁の内面には凹部が形成されているので、一対の連結側壁の内面と電線とが干渉することを抑制できる。この結果、電線を端子に挿入する際に、電線が座屈することを抑制できる。
【００１７】
（４）  前記シェルの底面と、前記相手方接続部の底面とが同一平面上に配されていることが好ましい。
【００１８】
シェルの底面と相手方接続部の底面とが同一の平面上に配されているので、端子をコネクタ内に収容した場合に、相手方接続部の外面と、シェルの外面とを、コネクタにおいて端子を載置するために形成された平面上に、傾くことなく載置することができる。これにより、端子がコネクタ内でがたつく等の不具合が生じることを確実に抑制できる。
【００１９】
（５）  前記シェルは、前記電線接続部に対して、前記電線の延び方向に沿ってスライド可能に配されていることが好ましい。
【００２０】
シェルを電線の延び方向に沿ってスライドさせるという簡易な操作により、電線と端子とを電気的に接続することができる。これにより、電線と端子の接続作業の効率を向上させることができる。
【００２１】
（６）  本開示にかかる端子付き電線は、上記（１）から（５）のいずれか１つに記載の端子と、前記端子に接続された電線と、を備える。
【００２２】
［本開示の実施形態の詳細］
以下に、本開示の実施形態が説明される。本発明はこれらの例示に限定されるものではなく、特許請求の範囲によって示され、特許請求の範囲と均等の意味および範囲内での全ての変更が含まれることが意図される。
【００２３】
＜実施形態１＞
本開示の実施形態１が図１から図８を参照しつつ説明される。本実施形態にかかる端子付き電線１０は、電線１１と、電線１１に接続された端子１２とを備える。端子１２は、図示しない相手方端子と接続される。端子１２は、図１に示されるように、電線１１の延び方向（矢線Ｙで示される向き）の前方端部に接続される。以下の説明では、矢線Ｚの示す向きを上とし、矢線Ｙの示す向きを前とし、矢線Ｘの示す向きを左として説明する。なお、複数の同一部材については、一部の部材にのみ符号を付し、他の部材の符号を省略する場合がある。
【００２４】
［電線１１］
図１に示されるように、電線１１は、前後方向（延び方向の一例）に延びて配されている。電線１１は、芯線１３の外周を絶縁性の合成樹脂からなる絶縁被覆１４で包囲されている。本実施形態にかかる芯線１３は、１本の金属線からなる。なお、芯線１３は複数の金属細線が撚り合わされてなる撚線であってもよい。芯線１３を構成する金属は、銅、銅合金、アルミニウム、アルミニウム合金等、必要に応じて任意の金属を適宜に選択できる。本実施形態にかかる芯線１３は銅、または銅合金からなる。
【００２５】
［端子１２］
図１に示されるように、端子１２は、金属製の端子本体１５と、端子本体１５に対して相対的にスライド移動可能なスライド部１６（シェルの一例）と、を備える。
【００２６】
［端子本体１５］
図２に示されるように、端子本体１５はプレス加工、切削加工、鋳造等、公知の手法により所定の形状に形成される。端子本体１５を構成する金属は、銅、銅合金、アルミニウム、アルミニウム合金、ステンレス鋼等、必要に応じて任意の金属を適宜に選択できる。本実施形態にかかる端子本体１５は、銅、又は銅合金からなる。端子本体１５の表面にはめっき層が形成されていてもよい。めっき層を構成する金属は、スズ、ニッケル、銀等必要に応じて任意の金属を適宜に選択できる。本実施形態にかかる端子本体１５にはスズめっきが施されている。
【００２７】
図２に示されるように、端子本体１５は、板状をなす相手方端子が挿入可能な筒部１７（相手方接続部の一例）と、筒部１７の後方に位置して電線１１と接続される電線接続部２０を有する。電線接続部２０は後方に延出された上側挟持部１８Ａおよび下側挟持部１８Ｂと、を備える。本実施形態にかかる端子１２は、いわゆる雌端子と呼ばれるものであり、相手方端子は、いわゆる雄端子と呼ばれるものである。
【００２８】
図３に示されるように、筒部１７は前後方向に延びる角筒状をなしている。筒部１７は、相手方底壁５０と、相手方底壁５０の側縁から上方（所定の起立方向の一例）に立ち上がる一対の相手方側壁５３を有する。筒部１７の前端は、相手方端子が挿入可能に開口されている。筒部１７の内部には、弾性変形可能な弾性接触片１９が配されている。弾性接触片１９は、筒部１７の内壁から内方に延びている。筒部１７内に挿入された相手方端子は、弾性接触片１９を押圧して弾性変形させる。弾性変形した弾性接触片１９の弾発力によって、相手方端子は、筒部１７の内壁と弾性接触片１９との間に挟まれる。これにより相手方端子と端子１２とが電気的に接続される。
【００２９】
図２および図３に示されるように、筒部１７の後方には角筒状をなす電線接続部２０が設けられている。図３に示されるように、電線接続部２０は、電線側底壁５１と、電線側底壁５１の側縁から上方に立ち上がる一対の電線側側壁５４を有する。電線接続部２０の上壁の後端部には上側挟持部１８Ａ（挟持部の一例）が後方に延びて設けられており、電線接続部２０の電線側底壁５１の後端部には下側挟持部１８Ｂ（挟持部の一例）が後方に延びて設けられている。上側挟持部１８Ａと下側挟持部１８Ｂは前後に延びた細長い形状をなしている。上側挟持部１８Ａと下側挟持部１８Ｂの前後方向の長さ寸法は略同じに形成されている。
【００３０】
上側挟持部１８Ａの下面には、後端部よりも前方の位置に、下方に突出する上側保持突部２３Ａが設けられている。下側挟持部１８Ｂの上面の後端部には、上方に突出する下側保持突部２３Ｂが設けられている。下側保持突部２３Ｂと、上側保持突部２３Ａとは、前後方向についてずれた位置に設けられている。
【００３１】
上側挟持部１８Ａの下面、および下側挟持部１８Ｂの上面が、芯線１３の表面に形成された酸化被膜に食い込んで酸化被膜を剥がすことにより、芯線１３の金属表面を露出させるようになっている。この金属表面と、上側挟持部１８Ａおよび下側挟持部１８Ｂとが接触することにより、芯線１３と端子本体１５とが電気的に接続される。
【００３２】
図４に示すように、端子本体１５の側壁には、外方に突出する係止突起２８が形成されている。この係止突起２８は、後述する仮係止受け部２６および本係止受け部２７と係止することにより、スライド部１６を、仮係止位置および本係止位置に保持するようになっている。
【００３３】
図４に示されるように、筒部１７と電線接続部２０とは、連結部３０により連結されている。連結部３０は、連結底壁３１と、連結底壁３１の左右両側縁から上方に延びる右側壁３３Ｒおよび左側壁３３Ｌ（１対の連結側壁の一例）と、を有する。
【００３４】
図３に示されるように、連結底壁３１は、相手方底壁５０と、電線側底壁５１と連なっている。相手方底壁５０は、電線側底壁５１よりも下方に位置している。
【００３５】
図３に示されるように、後方から前方に向かうに従って、連結底壁３１は下降傾斜して形成されている。換言すると、電線側底壁５１から相手方底壁５０に向かって、電線側側壁５４の立ち上がる向きと反対方向に傾斜している。
【００３６】
図４に示されるように、右側壁３３Ｒのうち、前後方向の中央付近は左方に凹んだ形状に曲がっている。また、左側壁３３Ｌのうち、前後方向の中央付近は右方に凹んだ形状に曲がっている。このように、右側壁３３Ｒと左側壁３３Ｌのそれぞれは、互いに接近する方向に屈曲した、右くびれ部３４Ｒ（くびれ部の一例）および左くびれ部３４Ｌ（くびれ部の一例）を有する。
【００３７】
図４に示されるように、右くびれ部３４Ｒの内面には、右凹部３５Ｒが右方に凹んで形成されている。図３に示されるように、右凹部３５Ｒは、前後方向については、右側壁３３Ｒの前端部からやや後方の位置から、右側壁３３Ｒの後端部よりもやや前方の位置まで形成されている。また、右凹部３５Ｒは、上下方向については、右側壁３３Ｒの上端部から、連結底壁３１よりもやや上方の位置まで形成されている。
【００３８】
図４に示されるように、左側壁３３Ｌに形成された左凹部３５Ｌは、上記の右凹部３５Ｒと左右対称に形成されている。
【００３９】
図５に示されるように、右凹部３５Ｒと左凹部３５Ｌとの左右方向の間隔は、芯線１３の直径と同じか、または大きく設定されている。これにより、右側壁３３Ｒと、左側壁３３Ｌとの間を、芯線１３が後方から前方に向けて挿通可能になっている。
【００４０】
［スライド部１６]
図６に示されるように、スライド部１６は、前後方向に延びる角筒状をなしている。スライド部１６は、切削加工、鋳造、プレス加工等、必要に応じて公知の手法により形成される。スライド部１６を構成する金属は、銅、銅合金、アルミニウム、アルミニウム合金、ステンレス鋼等、必要に応じて任意の金属を適宜に選択できる。本実施形態にかかるスライド部１６は、特に限定されないが、ステンレス鋼からなる。スライド部１６の表面にはめっき層が形成されていてもよい。めっき層を構成する金属は、スズ、ニッケル、銀等必要に応じて任意の金属を適宜に選択できる。
【００４１】
スライド部１６の内面形状の断面は、端子本体１５のうち、上側挟持部１８Ａと下側挟持部１８Ｂが設けられた領域の外形状の断面と同じか、やや大きく形成されている。これにより、スライド部１６は、端子本体１５のうち、上側挟持部１８Ａと下側挟持部１８Ｂとが設けられた領域の外方に配されるようになっている。
【００４２】
図５に示されるように、スライド部１６の上壁の下面には、下方に突出する上側加圧部２５Ａ（加圧部の一例）が設けられている。スライド部１６の下壁の上面には、上方に突出する下側加圧部２５Ｂ（加圧部の一例）が設けられている。
【００４３】
図１に示されるように、スライド部１６の側壁には、前後方向の前端部寄りの位置に、仮係止受け部２６が開口されている。また、スライド部１６の側壁には、仮係止受け部２６よりも後方の位置に、本係止受け部２７が開口されている。仮係止受け部２６と、本係止受け部２７は、端子本体１５の側壁に設けられた係止突起２８と弾性的に係止可能になっている。
【００４４】
端子本体１５の係止突起２８とスライド部１６の仮係止受け部２６とが係止した状態は、端子本体１５に対してスライド部１６が仮係止位置に保持された状態となっている（図６参照）。この状態においては、スライド部１６の上側加圧部２５Ａおよび下側加圧部２５Ｂは、端子本体１５の上側挟持部１８Ａおよび下側挟持部１８Ｂの後端縁から後方に離間している。また、この状態においては、上側挟持部１８Ａと下側挟持部１８Ｂとの間の間隔は、芯線１３の直径よりも大きく設定されている（図７参照）。
【００４５】
図８に示されるように、端子本体１５の係止突起２８とスライド部１６の本係止受け部２７とが係止した状態は、端子本体１５に対してスライド部１６が本係止位置に係止された状態となっている。この状態においては、スライド部１６の上側加圧部２５Ａは、上側挟持部１８Ａの上方から上側挟持部１８Ａに接触している。また、スライド部１６の下側加圧部２５Ｂは、下側挟持部１８Ｂの下方から下側挟持部１８Ｂに接触している。
【００４６】
上記のように、スライド部１６は、端子本体１５のうち上側挟持部１８Ａと下側挟持部１８Ｂとが設けられた領域に外嵌された状態で、上記した仮係止位置と、本係止位置との間をスライド移動可能になっている。
【００４７】
図８に示されるように、スライド部１６が端子本体１５に対して本係止位置で保持された状態では、上側加圧部２５Ａが上方から上側挟持部１８Ａを押圧することによって上側挟持部１８Ａが下方に変形するようになっている。また、下側加圧部２５Ｂが下方から下側挟持部１８Ｂを押圧することによって下側挟持部１８Ｂが上方に変形するようになっている。これにより、上側挟持部１８Ａと下側挟持部１８Ｂとの間の空間に、芯線１３を前後方向（延び方向）に延びた状態で配し、且つ、スライド部１６が端子本体１５に対して本係止位置で保持した状態では、芯線１３は、弾性変形した上側挟持部１８Ａと下側挟持部１８Ｂによって上下方向から挟持されるようになっている。すなわち、上側挟持部１８Ａは上側加圧部２５Ａに下方に押圧されることにより芯線１３に上方から接触し、下側挟持部１８Ｂは下側加圧部２５Ｂに上方に押圧されることにより芯線１３に下方から接触するようになっている。
【００４８】
図８に示されるように、スライド部１６が端子本体１５に対して本係止位置で保持された状態では、上側挟持部１８Ａの上側保持突部２３Ａが芯線１３を上方から押圧し、下側挟持部１８Ｂの下側保持突部２３Ｂが芯線１３を下方から押圧する。このように、芯線１３は、上側保持突部２３Ａによって上方から押圧されるとともに、上側保持突部２３Ａと前後方向にずれた位置に配された下側保持突部２３Ｂによって下方から押圧されることにより、上下方向（延び方向と交差する方向の一例）について屈曲した状態に保持される。また、上側保持突部２３Ａと、下側保持突部２３Ｂとによっても、芯線１３と端子１２とが電気的に接続されるようになっている。
【００４９】
図８に示されるように、スライド部１６の前端部には、上壁から上方に突出する治具接触部４６が設けられている。治具接触部４６に後方から治具４５が接触して、この治具４５によってスライド部１６が前方に押されることにより、スライド部１６が前方に移動可能になっている。
【００５０】
図６に示されるように、スライド部１６の後端部寄りの位置には、左右両側壁に、スライド部１６の内方に突出する一対の誘い込み部４７が設けられている。誘い込み部４７は、後方から前方に向かうに従って幅狭に形成されている。誘い込み部４７の内面に芯線１３が摺接することにより、芯線１３はスライド部１６の内部へと案内される。
【００５１】
図８に示されるように、スライド部１６が端子本体１５に対して本係止位置で保持された状態では、筒部１７の相手方底壁５０の下面と、スライド部１６の底壁５２の下面とは、同一の平面６０上に位置するようになっている。
【００５２】
［電線１１と端子１２の接続工程]
続いて、電線１１と端子１２との接続工程の一例について説明する。電線１１と端子１２との接続工程は以下の記述に限定されない。
【００５３】
公知の手法により、端子本体１５と、スライド部１６とが形成される。端子本体１５に対して、後方からスライド部１６が組み付けられる。端子本体１５の係止突起２８に後方からスライド部１６の前端縁が当接し、スライド部１６の側壁が拡開変形する。更にスライド部１６が前方に押し込まれると、スライド部１６の側壁が復帰変形し、端子本体１５の係止突起２８に、スライド部１６の仮係止受け部２６が係止する。これにより、端子本体１５に対してスライド部１６が仮係止位置に保持される（図６参照）。これにより端子１２が得られる。
【００５４】
公知の手法で絶縁被覆１４が皮剥ぎ加工されることにより電線１１の芯線１３が露出される。
【００５５】
電線１１が更に前方に押し込まれると、芯線１３の前端部は、スライド部１６の後端部からスライド部１６の内部へと導入される。芯線１３はスライド部１６の誘い込み部４７と当接することにより、スライド部１６へと案内される。更に電線１１が前方に押し込まれると、芯線１３の前端部は端子本体１５の内部へと進入して上側挟持部１８Ａと下側挟持部１８Ｂとの間の空間内に至る。
【００５６】
図７に示されるように、端子本体１５に対してスライド部１６が仮係止位置に保持された状態では、上側挟持部１８Ａと下側挟持部１８Ｂとの間隔は、芯線１３の外径寸法よりも大きく設定されている。
【００５７】
図５に示されるように、芯線１３の前端部が連結部３０にまで至ると、芯線１３は、連結部３０の右側壁３３Ｒと左側壁３３Ｌとの隙間へと挿入される。図５には、二点鎖線で、右側壁３３Ｒの内面に右凹部３５Ｒが設けられなかった場合の右側壁３３Ｒの外形線と、左側壁３３Ｌの内面に左凹部３５Ｌが設けられなかった場合の左側壁３３Ｌの外形線とが記載されている。右側壁３３Ｒおよび左側壁３３Ｌに、それぞれ、右凹部３５Ｒおよび左凹部３５Ｌが設けられなかった場合には、右凹部３５Ｒと左凹部３５Ｌの左右方向の幅寸法は、芯線１３の直径よりも小さい。このため、芯線１３が右側壁３３Ｒと左側壁３３Ｌとの隙間へ挿入される際に、芯線１３が右側壁３３Ｒと左側壁３３Ｌとの隙間に引っかかってしまうことが懸念される。
【００５８】
本実施形態においては、右側壁３３Ｒおよび左側壁３３Ｌには、それぞれ、右凹部３５Ｒおよび左凹部３５Ｌが設けられているので、芯線１３が右側壁３３Ｒと左側壁３３Ｌとの隙間に確実に挿入されるようになっている。
【００５９】
次に、図８に示すように、治具４５を後方から治具接触部４６に当接させて、スライド部１６を前方にスライド移動させる。スライド部１６は端子本体１５に対して相対的に前方に移動させられる。このとき、端子本体１５の係止突起２８と、スライド部１６の仮係止受け部２６との係止が外れ、スライド部１６の側壁が係止突起２８に乗り上げて拡開変形する。
【００６０】
スライド部１６が前方に移動させられると、スライド部１６の側壁が復帰変形して端子本体１５の係止突起２８と、スライド部１６の本係止受け部２７とが弾性的に係止する。これによりスライド部１６が端子本体１５に対して本係止位置に保持される。
【００６１】
スライド部１６が端子本体１５に対して本係止位置に保持された状態で、スライド部１６の上側加圧部２５Ａが、端子本体１５の上側挟持部１８Ａに上方から当接して下方へと押圧する。また、スライド部１６の下側加圧部２５Ｂが、端子本体１５の下側挟持部１８Ｂに下方から当接して上方へと押圧する。これにより、芯線１３が、上側挟持部１８Ａと下側挟持部１８Ｂに上下から挟持される。
【００６２】
図８に示されるように、上側挟持部１８Ａの下面と、下側挟持部１８Ｂの上面とに芯線１３が挟まれることにより、芯線１３の表面に形成された酸化被膜が剥がされ、芯線１３を構成する金属表面が露出する。この金属表面と、上側挟持部１８Ａおよび下側挟持部１８Ｂが接触することにより、電線１１と端子１２とが電気的に接続される。
【００６３】
芯線１３が上側挟持部１８Ａと下側挟持部１８Ｂに上下から挟持された状態においては、芯線１３は、上側挟持部１８Ａの上側保持突部２３Ａと、下側挟持部１８Ｂの下側保持突部２３Ｂとに挟まれることにより、前後方向に延びた状態で、且つ、上下方向に屈曲した状態で保持される。これにより、芯線１３を強固に保持することができるので、電線１１に引っ張り力が作用した場合に、電線１１と端子１２との保持力を高めることができる。これにより端子付き電線１０が完成する。
【００６４】
［本実施形態の作用効果］
続いて、本実施形態の作用効果について説明する。本実施形態にかかる端子１２は、相手方端子と接続する筒部１７と、電線１１と接続する電線接続部２０と、筒部１７と電線接続部２０とを連結する連結部３０と、を有する端子本体１５と、電線接続部２０の外側に嵌められるスライド部１６と、を備え、電線接続部２０は前後方向に延びると共に電線１１を挟持する上側挟持部１８Ａおよび下側挟持部１８Ｂを有し、スライド部１６は上側挟持部１８Ａおよび下側挟持部１８Ｂを電線１１に向けて加圧する上側加圧部２５Ａおよび下側加圧部２５Ｂを有し、筒部１７は相手方底壁５０と、相手方底壁５０から上方に立ち上がって形成された相手方側壁５３と、を有し、電線接続部２０は電線側底壁５１と、電線側底壁５１から上方に立ち上がる電線側側壁５４と、を有し、連結部３０は、電線側底壁５１と相手方底壁５０とを、電線側底壁５１から相手方底壁５０に向かって、下方に傾斜して連結している。
【００６５】
また、本実施形態にかかる端子付き電線１０は、上記の端子１２と、端子１２に接続された電線１１とを備える。
【００６６】
スライド部１６は電線接続部２０の外側に嵌められているので、スライド部１６は電線側底壁５１を外側から覆っている。このため、スライド部１６の底壁５２は電線側底壁５１よりも外方に突出する。しかし、電線側底壁５１と連結部３０により連結された筒部１７は、連結部３０が傾斜していることにより、電線側底壁５１よりも外方に突出する。これにより、電線側底壁５１に対して、スライド部１６の底壁５２および相手方底壁５０の双方が外方に突出することになるので、スライド部１６の底壁５２だけが突出した形状に比べて、端子１２の段差を小さくすることができる。
【００６７】
また、本実施形態によれば、連結部３０は、相手方底壁５０と電線側底壁５１とを連結する連結底壁３１と、連結底壁３１から立ち上がる右側壁３３Ｒおよび左側壁３３Ｌと、を有し、右側壁３３Ｒおよび左側壁３３Ｌのそれぞれは、互いに接近する方向に屈曲したくびれ部３４Ｌ，３４Ｒを有する。
【００６８】
連結部３０の連結底壁３１を傾斜させると、右側壁３３Ｒおよび左側壁３３Ｌも屈曲する。このとき、右側壁３３Ｒおよび左側壁３３Ｌのそれぞれについて、互いに接近する方向に屈曲した右くびれ部３４Ｒおよび左くびれ部３４Ｌを設けることにより、右側壁３３Ｒおよび左側壁３３Ｌが互いに離れる方向に屈曲する場合に比べて、端子１２を小型化することができる。
【００６９】
本実施形態によれば、右側壁３３Ｒおよび左側壁３３Ｌにそれぞれ設けられた右くびれ部３４Ｒおよび左くびれ部３４Ｌの内面には、それぞれ、右凹部３５Ｒおよび左凹部３５Ｌが設けられている。
【００７０】
電線１１の芯線１３と電線接続部２０とを確実に接続するため、電線接続部２０に挿通された芯線１３は、電線接続部２０を越えて連結部３０まで挿通されることが好ましい。連結部３０の右側壁３３Ｒおよび左側壁３３Ｌのそれぞれの内面には右凹部３５Ｒおよび左凹部３５Ｌが形成されているので、右側壁３３Ｒおよび左側壁３３Ｌの内面と芯線１３とが干渉することを抑制できる。この結果、電線１１の芯線１３を端子１２に挿入する際に、電線１１または芯線１３が座屈することを抑制できる。
【００７１】
本実施形態によれば、スライド部１６の底面と、筒部１７の底面とが同一平面上に配されている。
【００７２】
スライド部１６の底面と筒部１７の底面とが同一の平面上に配されているので、筒部１７の下面とスライド部１６の下面とは、同一の平面６０上に配されている。これにより、端子１２を図示しないコネクタ内に収容した場合に、筒部１７の下面と、スライド部１６の下面とを、コネクタにおいて端子１２を載置するために形成された平面上に、傾くことなく載置することができる。これにより、端子１２がコネクタ内でがたつく等の不具合が生じることを確実に抑制できる。
【００７３】
本実施形態によれば、スライド部１６は、電線接続部２０に対して、前後方向に沿ってスライド可能に配されている。
【００７４】
スライド部１６を前後方向に沿ってスライドさせるという簡易な操作により、電線１１と端子１２とを電気的に接続することができる。これにより、電線１１と端子１２の接続作業の効率を向上させることができる。
【００７５】
＜他の実施形態＞
（１）本実施形態では連結底壁３１が全体として傾斜する構成であったが、連結底壁３１の一部が傾斜している構成としてもよい。
【００７６】
（２）本実施形態にかかる端子１２は、いわゆる雌端子であったが、雄端子でもよい。
【００７７】
（３）本実施形態においては、右凹部３５Ｒおよび左凹部３５Ｌが設けられる構成としたが、これに限られず、右凹部３５Ｒまたは左凹部３５Ｌの一方が設けられる構成としてもよい。また、右凹部３５Ｒおよび左凹部３５Ｌの双方を省略してもよい。
【００７８】
（４）端子１２は、１つ、または３つ以上の挟持部を有してもよい。
【００７９】
（５）筒部１７の底面と、スライド部１６の底面とは、同一の平面上に配されていなくてもよい。
【００８０】
（６）相手方側壁５３は、相手方底壁５０の側縁から立ち上がっていなくてもよい。また、電線側側壁５４は、電線側底壁５１の側縁から立ち上がっていなくてもよい。また、左側壁３３Ｌおよび右側壁３３Ｒは、連結底壁３１の側縁から立ち上がっていなくてもよい。
【符号の説明】
【００８１】
１０：  端子付き電線
１１：  電線
１２：  端子
１３：  芯線
１４：  絶縁被覆
１５：  端子本体
１６：  スライド部
１７：  筒部
１８Ａ：  上側挟持部
１８Ｂ：  下側挟持部
１９：  弾性接触片
２０：  電線接続部
２３Ａ：  上側保持突部
２３Ｂ：  下側保持突部
２５Ａ：  上側加圧部
２５Ｂ：  下側加圧部
２６：  仮係止受け部
２７：  本係止受け部
２８：  係止突起
３０：  連結部
３１：  連結底壁
３３Ｌ：  左側壁（連結側壁の一例）
３３Ｒ：  右側壁（連結側壁の一例）
３４Ｌ：  左くびれ部
３４Ｒ：  右くびれ部
３５Ｌ：  左凹部
３５Ｒ：  右凹部
４５：  治具
４６：  治具接触部
４７：  誘い込み部
５０：  相手方底壁
５１：  電線側底壁
５２：  スライド部の底壁
５３：  相手方側壁
５４：  電線側側壁
６０：  平面
【図１】
2020173962.tif 000003
【図２】
2020173962.tif 000004
【図３】
2020173962.tif 000005
【図４】
2020173962.tif 000006
【図５】
2020173962.tif 000007
【図６】
2020173962.tif 000008
【図７】
2020173962.tif 000009
【図８】
2020173962.tif 000010